(57)【要約】【課題】衣類乾燥を速やかに行うと共に、高湿度の空気が脱衣所に流れ込むことを防止し、暖房も行うことが可能な浴室空調装置を提供する。【解決手段】他の部屋から吸い込んだ空気を浴室９内に給気する他室給気風路Ｒ１と、浴室９から吸い込んだ空気を再度浴室９内に送風する循環風路Ｒ２と、浴室内から吸い込んだ空気を戸外に排気する換気風路Ｒ３とを備え、他室給気風路Ｒ１と循環風路Ｒ２との両者において空気を吸い込む給気系ファン２８と、空気を暖めるヒータ３０と、空気を浴室内に吹出す吹出口２９とを共用するように構成し、給気系ファン２８の上流側に、循環風路Ｒ２若しくは他室給気風路Ｒ１から吸い込む空気を切り換えるドア２５を設けた。【選択図】  図１
2006078011.tif 000002
【特許請求の範囲】
【請求項１】
外気又は他室の空気を浴室内に給気する他室給気風路と、浴室から吸い込んだ空気を浴室内に給気する循環風路と、浴室内の空気を排気する換気風路と、空気を加熱する加熱手段とを備えた浴室空調装置であって、前記循環風路と前記他室給気風路とを切り換える給気系切換手段を設けたことを特徴とする浴室空調装置。
【請求項２】
外気又は他室の空気を浴室内に給気する他室給気風路と、浴室内の空気を排気する換気風路とを備えた浴室空調装置であって、前記換気風路を複数の換気風路により構成し、前記複数の換気風路を切り換える換気系切換手段を設けたことを特徴とする浴室空調装置。
【請求項３】
前記換気風路に設けられ、浴室の空気を吸い込む吸込口が床面近傍にあることを特徴とする請求項２記載の浴室空調装置。
【請求項４】
前記給気系切換手段、前記給気系切換手段の少なくとも何れかを運転モードに応じて切り換えるように制御する制御部を備えたことを特徴とする請求項１乃至請求項３の何れか記載の浴室空調装置。
【請求項５】
外気又は他室の空気を吸い込んで浴室内に給気する他室給気風路と、浴室内から吸い込んだ空気を浴室内に給気する循環風路と、浴室内の空気を排出する換気風路とを備えた浴室空調装置と、浴室に隣接した室内の空気を浴室内に導入するガラリ部とを備えた浴室空調システムであって、
前記ガラリ部を開閉する開閉装置を備えたことを特徴とする浴室空調システム。
【請求項６】
室内の圧力の変化を検出する気圧検出手段を備え、該気圧検出手段の検出結果に基づき、前記ガラリ部の開閉機構の開閉を制御する制御部を備えたことを特徴とする請求項５記載の浴室空調システム。
【発明の詳細な説明】
【技術分野】
【０００１】
本発明は、浴室内に空気を供給したり、浴室内の空気を排気する浴室空調装置に関するものであり、更に詳しくは、浴室内における衣類乾燥や浴室乾燥をも可能とした浴室空調装置及び浴室空調システムに関する。
【背景技術】
【０００２】
従来から浴室内で衣類乾燥が出来るようにするために、浴室の対向する内壁面にランドリーパイプの受け金具をそれぞれ設置し、この受け金具にランドリーパイプを支持させてハンガー等を掛けることが出来るようにした浴室が知られている。また、浴室の天井等には浴室用の換気扇が設けられているので、衣類乾燥時には換気扇を回してガラリ等から空気を吸い込んで、浴室内と共に衣類を乾燥させるようにしている。
【０００３】
しかし、換気扇のみで衣類や浴室内を乾燥させるには時間がかかるので、浴室の天井にヒーター付きの浴室換気装置を設置し、浴室内の高湿度の空気の一部を浴室換気装置で戸外に排出し、浴室内の空気の一部を吸い込んだ後にヒーターにより暖めて再度浴室内に供給して、浴室内や衣類乾燥が出来るようにしたものも市販されている。
【特許文献１】特開２００４ー１８４０５０号公報
【発明の開示】
【発明が解決しようとする課題】
【０００４】
しかし、浴室換気装置を備えた浴室において衣類乾燥を行うと、ガラリから浴室内に導入される冷たい空気と、浴室換気装置のヒーターにより暖められた暖かい空気とが、天井付近と床面付近とで２層化して滞留するということが判明した。
【０００５】
この空気の２層化を防止するためには、浴室内から排出される排気風量よりも、浴室内に給気する給気風量を多くすることによって、浴室の床面付近まで温風を吹き出す方法を考えたが、この方法によると、浴室の戸に設けられているガラリを通して浴室から脱衣所に高湿度の空気が流れ出して脱衣所で結露し、脱衣所のカビや錆の原因となるという新たな問題が生じた。
【０００６】
また、他の室内から空気を給気すると共に浴室の空気を排気する同時給排方式の浴室乾燥機では、給気と排気とが同時に行われ、天井近傍での空気の滞留が解消されるために、暖かい空気と冷たい空気の２層化を防ぐことは可能であるが、浴室内の空気を暖めて再度浴室に戻し、浴室内の暖房を行うことができなかった。
【０００７】
本発明は、このような問題に着目してなされたものであり、浴室における衣類乾燥時に浴室内の空気が２層化することを防止して衣類乾燥を速やかに進めると共に、高湿度の空気が脱衣所に流れ込むことを防止し、併せて、衣類乾燥だけでなく暖房も行うことが可能な浴室空調装置を提供することを目的とする。
【課題を解決するための手段】
【０００８】
上記課題を解決するために、本願の請求項１の浴室空調装置は、外気又は他室の空気を浴室内に給気する他室給気風路と、浴室から吸い込んだ空気を浴室内に給気する循環風路と、浴室内の空気を排気する換気風路と、空気を加熱する加熱手段とを備えた浴室空調装置であって、前記循環風路と前記他室給気風路とを切り換える給気系切換手段を設けたことを特徴とする。
【０００９】
本願の請求項２の浴室空調装置は、外気又は他室の空気を浴室内に給気する他室給気風路と、浴室内の空気を排気する換気風路とを備えた浴室空調装置であって、前記換気風路を複数の換気風路により構成し、前記複数の換気風路を切り換える換気系切換手段を設けたことを特徴とする。
【００１０】
本願の請求項３の浴室空調装置は、請求項２記載の浴室空調装置において、前記換気風路に設けられ、浴室の空気を吸い込む吸込口が床面近傍にあることを特徴とする。
【００１１】
本願の請求項４の浴室空調装置は、請求項１乃至請求項３の何れか記載の浴室空調装置において、前記給気系切換手段、前記給気系切換手段の少なくとも何れかを運転モードに応じて切り換えるように制御する制御部を備えたことを特徴とする。
【００１２】
本願の請求項５の浴室空調システムは、外気又は他室の空気を吸い込んで浴室内に給気する他室給気風路と、浴室内から吸い込んだ空気を浴室内に給気する循環風路と、浴室内の空気を排出する換気風路とを備えた浴室空調装置と、浴室に隣接した室内の空気を浴室内に導入するガラリ部とを備えた浴室空調システムであって、前記ガラリ部を開閉する開閉装置を備えたことを特徴とする。
【００１３】
本願の請求項６の浴室空調システムは、請求項５記載の浴室空調システムにおいて、室内の圧力の変化を検出する気圧検出手段を備え、該気圧検出手段の検出結果に基づき、前記ガラリ部の開閉機構の開閉を制御する制御部を備えたことを特徴とする。
【発明の効果】
【００１４】
本願の請求項１の浴室空調装置によれば、他室給気風路を開けて循環風路を閉じるように給気系切換手段を切り換えると、他室給気風路から他の部屋の乾いた空気を導いて浴室内に給気することにより、入浴後等で壁面に付着した水滴を除去でき、浴室壁面の乾燥が促進される。その際に、浴室の高湿度の空気を換気風路から戸外に排出するので、浴室の結露防止や浴室壁面乾燥が促進されると共に、他室からの給気風量と浴室排気風量を制御又は調整することにより、ガラリを通して脱衣所に湿った空気が入り込むことが防止され、脱衣所の結露やカビの発生を防止できる。更に、加熱手段により加熱した空気を浴室内に給気することにより、衣類の乾燥が促進される。また、他室給気風路を閉じて循環風路を開けるように給気系切換手段を切り換えると、浴室内の空気を吸い込んでヒーターで暖めた後に再度浴室内に戻すことができ、浴室内の暖房を行うことができる。
【００１５】
本願の請求項２の浴室空調装置によれば、複数の中の所定の換気風路の空気の吸込口を浴室の空気の滞留する場所に設置し、換気系切換手段で切り換えるようにしたので、空気の滞留する場所から高湿度の空気をいち早く排気でき、カビなどの発生を防止できる。また、給気風路から空気を浴室内に給気するときに、浴室天井から給気される空気が浴室の隅々に行き渡りやすくなり、浴室全体の乾燥も促進されることとなる。
【００１６】
本願の請求項３の浴室空調装置によれば、浴室床面近傍に空気の吸込口が開口しているので、換気系切換手段によりこの床面近傍に開口する換気風路から空気を吸い込むように切り換えると、濡れた床面上の空気が排気され、浴室内部の乾燥が促進される。
【００１７】
本願の請求項４の浴室空調装置によれば、給気系切換手段の制御装置により、他室給気風路と循環風路との切換を行って、他室給気風路から導入した他室の空気を浴室に給気したり、循環風路から導入した循環空気を浴室に再度給気する等の制御を行うことができ、それらの給気の際にヒーターのＯＮ・ＯＦＦを制御することも出来る。また、換気系切換手段の制御装置により、浴室の空気を排気するに当たって複数の換気風路の切換を行って、空気の滞留する場所や速く乾燥させたい場所等の切換を行うことができる。
【００１８】
本願の請求項５の浴室空調システムによれば、換気風路における外風圧やレンジフード（台所換気扇）等の作動により、排気の状態が変化し、浴室の気圧が一定以上の気圧になったり、一定以下の気圧になったときに、ガラリ開閉装置によりガラリを閉じてしまうことにより、浴室の高湿度の空気が脱衣所に入り込んだり、ファンモーターの回転数が上がり、騒音が増大することを防止できる。
【００１９】
本願の請求項６の浴室空調システムによれば、気圧検出手段が室内の気圧を自動的に検知し、室内の気圧が一定以上の気圧になったり、一定以下の気圧になったときに、制御部が自動的にガラリを閉じることができる。
【発明を実施するための最良の形態】
【００２０】
以下、本発明を実施するための最良の形態にかかる浴室空調装置及び浴室空調システムを図面に基づいて説明する。図１は実施の形態にかかる浴室空調装置としての浴室換気装置１の概略を示したものである。この浴室換気装置１は、図３に示すように、浴室９の浴槽Ｂの上方であって天井２の開口部３に配置されるものであり、浴室内の換気（給気と排気）・乾燥・暖房等を行うことができる。
【００２１】
浴室９の天井２の上にはダクト４、５、６が配備されている。ダクト４の一端部は他の室内である例えば脱衣所の天井のグリル（図示省略）等に接続され、ダクト４の他端部は浴室換気装置１の第１吸込室７のダクトジョイント８に接続されている。ダクト５の一端部は、図３に示すように、浴室９の側壁の下部（一例として洗い場Ｄの近傍部位）のグリル１０に接続され、ダクト５の他端部は浴室換気装置１のダクトジョイント１１に接続されている。ダクト６の一端部は浴室換気装置１のダクトジョイント１２に接続され、ダクト６の他端部は図示しない建物の排気用開口部に接続され、建物の外部に通じている。
【００２２】
浴室換気装置１の筐体１３の内部には、第１吸込室７と給気ファン収納室１５と第２吸込室１６と、排気ファン収納室１７とが形成されている。第１吸込室７は脱衣所又は浴室９から空気を吸い込むための部屋であり、側壁部に吸込開口部１８が形成されている。吸込開口部１８の外側にダクトジョイント８が装着されている。第１吸込室７の底部７Ａ（図２参照）には浴室９の空気を吸い込む循環用開口部１９が形成されている。循環用開口部１９は、浴室９内部の空気を吸い込んで再び浴室９内に戻すために空気を取り入れる開口部である。
【００２３】
尚、筐体１３の下部にはフロントパネル２０が取り付けられ、フロントパネル２０に形成された循環用吸込口２１は、筐体１３の循環用開口部１９と一致するように設置される。フロントパネル２０には他にも給気系吹出口２２と、排気用吸込口２３とが開口されている。循環用吸込口２１の整流板２１Ａは鉛直方向に空気が流れるように向けられており、給気系吹出口２２の整流板２２Ａは鉛直方向から斜め方向であって設置時に洗い場方向に向けて空気が流れるように向けられており、排気用吸込口２３の整流板２３Ａは鉛直方向に空気が流れるように向けられている。
【００２４】
循環用開口部１９の筐体内側の縁部には、規制板部２４が一対形成されている。一対の規制板部２４の上部には、スイング型のドア部２５の回転軸が回動自在に保持されている。ドア部２５の回転軸には図示しないギア機構が設けられており、ドア部２５は該ギア機構を介して筐体１３の底部に設けたモーターＭ１により駆動され、開口部１８と開口部１９とをそれぞれ開閉する。ドア部２５は、開口部１８を開くと共に開口部１９を閉じることにより、ダクト４から送られてくる空気を第１吸込室７に導入し、開口部１９を開くと共に開口部１８を閉じることにより、浴室９の室内空気を第１吸込室７に導入する。ドア部２５のモーターＭ１のリレーは、後述する制御装置Ｃのマイクロプロセッサにより電流を制御され、モーターＭ１は開口部１８と開口部１９の両者を開いてダクト４から他室の空気を吸い込むと共に浴室９の室内空気を吸い込むことが可能とされている。
【００２５】
ドア部２５とモーターＭ１及びギア機構は、浴室乾燥や浴室９の衣類乾燥を行う際に、他室給気風路Ｒ１を開けて循環風路Ｒ２を閉じるように給気の風路を切り換える給気系切換手段となるものであり、ドア部２５で他室給気風路Ｒ１から他の部屋の乾いた空気を導いて後述するヒーター３０で暖め、暖めた空気を浴室９内に給気することによって、衣類乾燥を促進する。
【００２６】
その際に、浴室９内の高湿度の空気を換気風路Ｒ３から戸外に排出するので、ガラリ４１を通して脱衣所に湿った空気が入り込むことが防止され、脱衣所の結露や錆の発生を防止できる。更に、他室給気風路Ｒ１を閉じて循環風路Ｒ２を開けるようにドア部２５（給気系切換手段）を切り換えると、循環風路Ｒ２から浴室９の空気を吸い込んでヒーター３０で暖めた後に再度浴室９内に戻すことができ、浴室９内の暖房を行うことができる。
【００２７】
第１吸込室７と給気ファン収納室１５とは、中央部に空気の吸込口２６Ａが形成されたファンケース２６によって仕切られている。給気ファン収納室１５の隔壁１４にはファンモーター２７が取り付けられており、ファンモーター２７の回転軸に、遠心送風機からなる給気系ファン２８が取り付けられている。給気ファン収納室１５の底部１５Ａ（図２参照）には、吹出口２９が開口されており、給気系ファン２８が吹き出す空気は吹出口２９からは浴室９内部に吹き出される。吹出口２９の上にはヒーター３０が設置されており、ヒーター３０に通電することによって、浴室９内部に吹き出す他室の空気或いは浴室内に循環させる空気を暖めることができるようになっている。吹出口２９は、フロントパネル２０に形成された給気系吹出口２２に略一致するように形成されている。吹出口２９から吹き出される空気は、給気系吹出口２２の整流板２２Ａに案内されて、洗い場Ｄ方向に向けて流れ、洗い場Ｄ側を乾かしたり、暖めたりすることが出来る。
【００２８】
第２吸込室１６と排気ファン収納室１７とは、水平方向に延びるファンケース３１と鉛直方向に延びる隔壁１５Ｂ（図２参照）によって仕切られている。ファンケース３１と隔壁１５Ｂ及び前述の隔壁１４並びにダクトジョイント１２が取り付けられた縦壁部によって区画された空間が第２吸込室１６とされている。ファンケース３１には空気の吸込口３１Ａが形成される。図１に示すように、第２吸込室１６には吸込口３４と吸込口３８から空気が吸い込まれるようになっており、第２吸込室１６に吸い込まれた空気は、ファンケース３１の吸込口３１Ａを経由して、排気ファン収納室１７に吸い込まれ、ダクト６に案内されて戸外に排気されるようになっている。
【００２９】
排気ファン収納室１７の上部壁部にはファンモーター３２が取り付けられており、ファンモーター３２の回転軸に遠心送風機からなる排気系ファン３３が固定されている。排気ファン収納室１７の側壁部にはダクトジョイント１２に連通する吹出口３７が開口されており、排気系ファン３３から吹き出される空気が吹出口３７及びダクトジョイント１２を通ってダクト６に吹き出され、ダクト６から戸外に排気されるようになっている。
【００３０】
第２吸込室１６の底部１６Ａには、吸込口３４（図１、図２参照）が開口されており、排気系ファン３３が浴室９から吸い込む空気は吸込口３４を経由して第２吸込室１６内部に吸い込まれる。第２吸込室１６の側壁部にはダクトジョイント１１に連通する吸込口３８が開口されており、ダクト５からの空気は吸込口３８から第２吸込室１６内部に吸い込まれるようになっている。
【００３１】
ファンケース３１の下面であって吸込口３１Ａの縁部には、ストッパーとなる突起３５Ａ、３５Ｂが一対形成されている。また、第２吸込室１６の底部１６Ａには、一対の突起３５Ａ、３５Ｂの何れかに支持されるドア部３６の回転軸が回動自在に保持されている。ドア部３６の回転軸には図示しないギア機構が設けられており、ドア部３６はこのギア機構を介して筐体１３の底部１６Ａに設けたモーターＭ２（図２参照）により駆動され、一対の突起３５Ａ、３５Ｂの何れかに支持される。
【００３２】
ドア部３６は、自由端部が突起３５Ａに支持されるとき、ダクト５から送られてくる空気を第２吸込室１６に導入し、ダクト６から戸外に排気する。また、ドア部３６は、自由端部が突起３５Ｂに支持されるとき、ダクト５を遮断すると共に、浴室９内の空気を第２吸込室１６に導入し、ダクト６から戸外に排気する。
【００３３】
ドア部３６のモーターＭ２は、一対の突起３５Ａ、３５Ｂ間にドア部３６を中立状態に起立させることも可能であり、一対の突起３５Ａ、３５Ｂ間にドア部３６を起立させることによって、ダクト５から浴室９の洗い場近傍の空気を吸い込むと共に浴室９の天井２近傍の室内空気を吸い込んで、ダクト６から排気することが可能とされている。
【００３４】
この浴室換気装置１において、他の部屋から吸い込んだ空気を浴室９内に給気する他室給気風路Ｒ１は、ダクト４と、ダクトジョイント８と、吸込開口部１８と、第１吸込室７と、ファンケース２６の吸込口２６Ａと、給気ファン収納室１５と、給気ファン２８と、吹出口２９と、吹出口２２により構成される。また、浴室９内から吸い込んだ空気を再度浴室内に送風する循環風路Ｒ２は、フロントパネル２０の吸込口２１と、第１吸込室７と、循環用開口部１９と、一対の規制板部２４と、給気ファン収納室１５と、ファンケース２６の吸込口２６Ａと、給気ファン２８と、吹出口２９と、吹出口２２により構成される。
【００３５】
他室給気風路Ｒ１と循環風路Ｒ２は共に浴室９に空気を給気する給気系風路を構成し、他室給気風路Ｒ１と循環風路Ｒ２とを切り換す給気系切換手段は、ドア部２５及びドア部２５を駆動するギア機構及びモーターＭ１により構成され、ドア部２５を駆動するモーターＭ１のリレーは制御装置Ｃのマイクロプロセッサにより制御される。
【００３６】
更に、浴室９内から吸い込んだ空気を戸外に排気する換気風路Ｒ３は、ダクト５、６と、ダクトジョイント１１、１２と、第２吸込室１６と、吸込口３４と、開口部３７、３８と、排気ファン収納室１７と、排気ファン２２とによって構成されている。換気風路Ｒ３は複数の風路Ｒ３ａ、Ｒ３ｂを有する。風路Ｒ３ｂはダクト５から浴室９の下部の空気を排気する風路であり、風路Ｒ３ａは天井２の近傍の空気を排気する風路である。風路Ｒ３ａ、Ｒ３ｂとを切り換える換気系切換手段は、ドア部３６と、ドア部３６のモーターＭ２と、ドア部３６のモーターを制御する制御装置Ｃにより構成されている。この浴室９の側壁に沿う換気風路Ｒ３ｂにおける浴室空気の吸込口はグリル１０によって構成され、このグリル１０は浴室９の床面近傍に開口している。
【００３７】
制御装置Ｃのマイクロプロセッサは、上述の給気系切換手段及び換気系切換手段の制御装置を構成するものであり、リモートコントローラ４０（図３参照）からの選択ボタンの指示により、後述する運転モードを選択し、ファンモーター２７、３２と、ドア部２５、３６を駆動するモーターと、ヒーター３０とを制御する。
【００３８】
浴室換気装置１は、他室の空気を浴室９内部に給気しつつ浴室９の室内空気を排気する浴室乾燥モード（ヒーターＯＦＦモード）と、他室の空気を浴室９内部にヒーター３０で暖めて給気しながら、浴室９の室内空気を排気する衣類乾燥モード（ヒーターＯＮモード）と、入浴前に浴室９内部の予備暖房を行う循環モードと、浴室９の内部の高湿度の空気を排気する換気モードとを有する。
【００３９】
図４（ａ）に示すように、浴室乾燥モード（ヒーターＯＦＦモード）においては、ファンモーター２７が回転し、ファンモーター３２も回転する。ドア部２５のモーターは、吸込開口部１８を開とし、循環用開口部１９を閉とする。ドア部３６のモーターは、ダクト５側の空気流路を遮断し、吸込口３４側の空気流路を開放する。ヒーター３０は非通電によりＯＦＦとする。これによって、浴室乾燥モード（ヒーターＯＦＦモード）になると、脱衣所等の他室の空気が浴室９内部に給気されつつ、浴室９の室内空気が戸外に排気される。
【００４０】
このとき、浴室９の天井側から他室の低湿度の空気が給気される一方、浴室９の内部の空気が吸込口３４から吸い込まれて戸外に排気されるので、浴室９内部に低湿度の空気が流れることとなる。このため、浴室の洗い場の床面、天井面、側壁などの壁面に付着した水滴等を除去でき、浴室壁面を乾燥させることにより、カビの発生を抑制できる。さらに、浴室９の壁面間にランドリーパイプを掛け渡し、ハンガー等に衣類等を干すと、低湿度の空気によって衣類が乾燥する。
【００４１】
図４（ｂ）に示すように、衣類乾燥モード（ヒーターＯＮモード）においては、ファンモーター２７が回転し、ファンモーター３２も回転する。ドア部２５のモーターは、吸込開口部１８を開とし、循環用開口部１９を閉とする。ドア部３６のモーターは、ダクト５側の空気流路を開放し、吸込口３４側の空気流路を遮断する。ヒーター３０は通電によりＯＮとなる。これによって、衣類乾燥モード（ヒーターＯＮモード）になると、他室の空気を浴室９内部にヒーター３０で暖めて給気する一方、浴室９の湿った室内空気は戸外に排気される。
【００４２】
このとき、浴室９の洗い場側のグリル１０からダクト５に吸い込まれて戸外に排気されるので、浴室９内部全体において上から下に向かって他室の低湿度の空気が流れることとなる。従って、浴室９の壁面間にランドリーパイプを掛け渡し、ハンガー等に衣類等を干す場合に、浴室９内部を上から下に向かって流れる低湿度の空気の流れによって、衣類が乾燥すると共に、浴室９の天井や側壁面や洗い場等の床面等の浴室壁面の乾燥が促進される。
【００４３】
図４（ｃ）の循環モードでは、ファンモーター２７が回転し、ファンモーター３２は停止する。ドア部２５のモーターは、吸込開口部１８を閉とし、循環用開口部１９を開とする。ドア部３６のモーターは、ダクト５側の空気流路を開放し、吸込口３４側の空気流路を遮断する。ヒーター３０は通電によりＯＮとなる。
【００４４】
これによって、循環モードになると、浴室９内の空気を吸い込んでヒーター３０で暖めて再度浴室９内部に給気する。従って、浴室９には暖かい空気が供給されることとなり、入浴前に浴室９内部の空気を暖めておくことができる。
【００４５】
図４（ｄ）の換気モードは、ファンモーター２７が停止し、ファンモーター３２が回転する。ドア部２５のモーターは、吸込開口部１８を閉とし、循環用開口部１９を開とする。ドア部３６のモーターは、ダクト５側の空気流路を遮断し、吸込口３４側の空気流路を開放する。ヒーター３０は非通電によりＯＦＦとなる。これによって、浴室９内部の高湿度の空気は、吸込口３４から浴室換気装置１内に吸い込まれ、排気系ファン３３によってダクト６に送風されて戸外に排気され、浴室９内部にはガラリ４１の通気口を通して脱衣所から空気が給気される。
【００４６】
尚、上述の浴室乾燥モード及び衣類乾燥モードにおいて、他室からの給気量と浴室空気の排出量とが同等となっており、ガラリ４１から脱衣所等の他室に浴室の空気が流出しないようになっている。
【００４７】
また、運転モードに、夏場等に利用する涼風モードを設け、ヒーターＯＦＦの状態で浴室内の空気を循環又は他室の空気を給気しつつ、浴室内の空気を排気するようにしても良い。更に、他室を脱衣所として説明したが、脱衣所以外の他室内であっても良いし、外気であっても良い。また、ヒーター３０は、熱交換器でも良く、空気を加熱する加熱手段であれば、他のものであっても良い。更に、浴室乾燥モードをヒーター３０を使用しない省エネ衣類乾燥モードとして利用しても良く、衣類乾燥モードを急速浴室乾燥モードとしてヒーター３０をＯＮするようにしても良い。
【００４８】
次に、図５、図６を用いて、浴室９の戸４２（図３参照）に設けられるガラリ４１の構成について説明する。この浴室のガラリ４１は、脱衣所や廊下等の空気を導入する通気口を形成している。ガラリ４１は水平方向に延びる水切り板４３（図６（ａ）（ｂ）参照）を上下方向に格子状に並べてなるもので、上下の水切り板４３の間の隙間が通気口４３Ａとされる。ガラリ４１の水切り板４３は、浴室９の洗い場側に水滴が落下するように、浴室９側の端縁部が低く、脱衣所側の端縁部が高くなるように傾斜している。水切り板４３の前縁部４３Ｂと後縁部４３Ｃは鉛直方向に延びており、通気口４３Ａを通った水滴が脱衣所側に落下しないようになっている。
【００４９】
ガラリ４１にはガラリ開閉装置４４が設けられている。このガラリ開閉装置４４は、上述の浴室空調装置１と共に浴室空調システムを構成するものであり、略Ｌ型の水平断面を有するガイド板４５と、水切り板４３の前縁部４３Ｂに沿って上下にスライド可能な枠部４６と、隙間４３Ａを塞ぐための遮蔽板４７と、枠部４６の側面に取り付けられたラック４８と、ピニオン４９と、モーター５０とで構成される。
【００５０】
ガイド板４５は、ガラリ４１の左右縁部に設けられて上下方向に延びるように固定されている。枠部４６は、矩形の枠形状に形成されており、ガイド板４５に案内されて上下動可能とされている。枠部４６の内側には遮蔽板４７の左右端部が保持されている。上端部及び下端部にある枠部４６は隙間４３Ａを塞ぐことができるようになっている。遮蔽板４７は、ガラリ４１の通気口４３Ａの上下の高さ相当の縦幅を有するように、複数個設けられている。
【００５１】
上下方向に延びる左右の枠部４６の表面にはラック４８が取り付けられている。ラック４８にはガイド板４５近傍に取り付けられたピニオン４９が噛み合っている。ピニオン４９の回転軸には図示しないギアが固定されており、このギアにはモーター５０の回転軸に固定されたウォームギア（図示省略）が噛み合っており、モーター５０の回転によって回転される。
【００５２】
モーター５０の制御回路は前述の制御装置Ｃの出力端子に接続されており、制御装置Ｃからの命令信号に基づいて、モーター５０を所定回転数所定方向に回転し、枠部４６を上下方向に動かして、ガラリ４１の通気口４３Ａを開閉する。
【００５３】
また、浴室換気装置１には浴室９内部の気圧を検出する図示しない空気圧センサ（圧力センサ）が気圧検出手段として設けられている。この空気圧センサの検出結果は制御装置Ｃのマイクロプロセッサの入出力端子に入力されるようになっている。制御装置Ｃのマイクロプロセッサには、空気圧センサの検出する空気圧について許容値が一定の範囲内で設定されており、浴室換気装置１のダクト６に戸外の風が入り込んでダクト６の排気風圧が増大し、空気圧センサの検出する空気圧が所定値以上に増大した場合には、制御装置Ｃのマイクロプロセッサからモーター５０のリレーにガラリ４１を閉じるための電流を供給すると、モータ５０がガラリ４１を閉じるように電流が流れ、ガラリ４１の隙間４３Ａが遮蔽板４６によって閉鎖される。ガラリ４１の隙間４３Ａが閉鎖されると、浴室９内部の湿った空気がガラリ４１の隙間４３Ａを通って脱衣所に流れ込むことが防止され、脱衣所の壁面や天井等に結露することが防止される。
【００５４】
建物のレンジフード等の大風量の排気装置が駆動されると、ガラリ４１から空気が吸い込まれるために、浴室９内部の空気圧が低下する。浴室換気装置１の空気圧センサの検出する空気圧が所定値以下に減少した場合には、制御装置Ｃのマイクロプロセッサからモーター５０のリレーにガラリ４１を閉じるための電流を供給すると、モータ５０がガラリ４１を閉じるように電流が流れ、ガラリ４１の隙間４３Ａが遮蔽板４６によって閉鎖される。これによって、給気系ファン２８や排気系ファン３３のファンモーター２７、３２の負荷が増えることが防止される。
【００５５】
なお、空気圧センサの代わりに排気系ファン３３のファンモーター３２の電流を計測して空気圧の上昇を検出しても良い。すなわち、強風等によりダクト６に外気が入り込むと、排気系ファン３３の回転数が変動する。この排気系ファン３３の回転数変動によって、ファンモーター３２の電流が変化する。よって、制御装置Ｃに、ファンモーター３２に供給される電流を監視する電流センサを設け、この電流センサの検出結果を制御装置Ｃのマイクロプロセッサに設けた許容値と比較し、許容値以上の電流が供給されたときに、モータ５０がガラリ４１を閉じるように電流を流しても良い。
【００５６】
尚、排気系ファン３３による排気量と給気系ファン２８の給気量とを同量とすることにより、ガラリ４１からの空気の流入・流出を防ぐことも出来る。また、浴室空気を吸込口であるグリル１０は浴室９の側壁に沿うように設けられているが、壁部ではなく、浴槽のエプロン部に設けても良い。
【図面の簡単な説明】
【００５７】
【図１】図１は本発明の実施の形態にかかる浴室換気装置の概略構成を示す図。
【図２】図２は図１の浴室換気装置の平面的な構成を示す図。
【図３】図３は浴室内に給気された空気が天井側から洗い場側に向かって流れる状態を示す図。
【図４】図４（ａ）はヒータＯＦＦの浴室乾燥モードのドア部２５、３６の動作を示す図、図４（ｂ）はヒータＯＮの浴室乾燥モードのドア部２５、３６の動作を示す図、図４（ｃ）は循環モードのドア部２５、３６の動作を示す図、図４（ｄ）は換気モードのドア部２５、３６の動作を示す図。
【図５】図５（ａ）（ｂ）はガラリ及びガラリ開閉装置の構成を示す図であり、（ａ）はガラリを閉めた状態を示し、（ｂ）はガラリを開けた状態を示す。
【図６】図６（ａ）はガラリ遮蔽板でガラリを閉めた状態を示し、（ｂ）はガラリ遮蔽板でガラリを開けた状態を示す。
【符号の説明】
【００５８】
１  浴室換気装置
４、５、６  ダクト
７  第１吸込室
９  浴室
１５  給気ファン収納室
１６  第２吸込室
１７  排気ファン収納室
１８  吸込開口部
１９  循環用開口部
２０  フロントパネル
２５  ドア部（給気系切換手段）
２７  ファンモーター
２８  給気系ファン
２９  吹出口
３０  ヒーター
３１  ファンケース
３２  ファンモーター
３３  排気系ファン
３４  吸込口
３６  ドア部（換気系切換手段）
Ｍ１、Ｍ２  ドア部の駆動用のモーター
４１  ガラリ
４２  戸
４５  ガイド板
４６  枠部
４７  遮蔽板
４８  ラック
４９  ピニオン
５０  モーター
Ｃ    制御装置
【図１】
2006078011.tif 000003
【図２】
2006078011.tif 000004
【図３】
2006078011.tif 000005
【図４】
2006078011.tif 000006
【図５】
2006078011.tif 000007
【図６】
2006078011.tif 000008